(57)【要約】【課題】対象物を保持する保持具を基板に装着したときの高さ寸法を低減し、基板に構築した構造体の薄型化を可能にした保持具を提供する。【解決手段】対象物を保持する保持部１と、当該保持部１に一体に設けられ基板Ｂに設けた取付穴Ｈ嵌合して保持部１を基板Ｂに取り付けるスナップ部２とを備えた保持具であって、スナップ部２は取付穴Ｈに嵌合するスナップ片２１を備える。スナップ片２１は保持部１の側方位置において取付穴Ｈに嵌合される。保持部１の下側スペースが不要になって保持具１の高さ寸法が低くでき、基板Ｂに構築した構造体の薄型化が可能になる。【選択図】  図１
2014007219.tif 000002
【特許請求の範囲】
【請求項１】
対象物を保持する保持部と、前記保持部に一体に設けられ基板に設けた取付穴に嵌合して前記保持部を前記基板に取り付けるスナップ部とを備え、前記スナップ部は前記保持部の側方位置において前記取付穴に嵌合するスナップ片を備えることを特徴とする保持具。
【請求項２】
前記スナップ片は前記取付穴に嵌合したときに前記保持部での対象物の保持が可能な範囲で当該保持部の底面が前記基板の表面に近接される位置ないしは基板の表面よりも低くなる位置で嵌合することを特徴とする請求項１に記載の保持具。
【請求項３】
前記保持部の真横位置において前記スナップ片に連結され、保持具側に向けて変形されたときに前記スナップ片の嵌合を解除する解除片を備えることを特徴とする請求項１又は２に記載の保持具。
【発明の詳細な説明】
【技術分野】
【０００１】
本発明はシャーシやパネル等の基板に各種部品を保持させるための保持具に関し、特に基板に対する取り付け及び取り外しを容易にしたスナップ構造を有する保持具に関するものである。
【背景技術】
【０００２】
シャーシやパネル等の基板にケーブルや回路基板を保持させるための各種保持具が提案されているが、近年では基板に開設した穴にワンタッチで着脱することが可能なスナップ構造、いわゆるリユース構造を備えた保持具が提案されている。特許文献１は本出願人にかかるスナップ構造であり、対象物を保持するための保持部の下側に、基板に設けた穴に挿入したときに当該穴に嵌合して基板に対して取り付けられる一対のスナップ片と、これらスナップ片にそれぞれ連結され、手操作されたときにスナップ片を縮径させて穴から離脱させるようにした一対の解除片を備えている。このスナップ構造によれば、基板に対してはスナップ片を穴に挿入する操作だけで基板に対する装着が可能であり、一対の解除片を指で摘む操作だけでスナップ片を穴から取り外すことができ、保持具のリユースに好適である。特許文献２の技術もこれと同じ技術に基づくものである。
【先行技術文献】
【特許文献】
【０００３】
【特許文献１】特許第３９０５５２７号公報
【特許文献２】特許第４４２１４７１号公報
【発明の概要】
【発明が解決しようとする課題】
【０００４】
特許文献１，２の技術はいずれもスナップ構造のスナップ片が保持部の下側に配置されている。そのため、詳細については後述するが、スナップ片に連結される脚片と解除片も保持部の下側ないし側方の領域にわたって配設されることになり、保持部の下側にスナップ構造のスナップ片と解除片を配設するためのスペースを確保する必要がある。したがって、保持具の全体の高さ寸法が大きくなり、基板の表面に保持具を装着した場合には、対象物を保持するのに必要な本来の高さ寸法に比較して当該スペースを確保するための高さ寸法だけ基板の表面側の高さ寸法が大きくなり、基板に構築する構造体を薄型化する際の障害になるという問題がある。
【０００５】
本発明の目的は、基板に装着したときの高さ寸法を低減し、基板に構築する構造体の薄型化を可能にした保持具を提供するものである。
【課題を解決するための手段】
【０００６】
本発明の保持具は、対象物を保持する保持部と、当該保持部に一体に設けられ基板に設けた取付穴に嵌合して保持部を基板に取り付けるスナップ部とを備えた保持具であって、スナップ部は保持部の側方位置において取付穴に嵌合するスナップ片を備えることを特徴とする。また、スナップ片は取付穴に嵌合したときに保持部での対象物の保持が可能な範囲で当該保持部の底面が基板の表面に近接される位置ないしは基板の表面よりも低くなる位置で嵌合する構成とする。本発明においては、保持部の真横位置においてスナップ片に連結され、保持具側に向けて変形されたときにスナップ片の嵌合を解除する解除片を備えることが好ましい。
【発明の効果】
【０００７】
本発明によれば、スナップ片は保持部の側方位置において取付穴に嵌合されるので、保持部をスナップ片と同等な高さ位置にまで下げることができ、保持部の底面は基板の表面に近接した高さ位置、あるいは基板の表面よりも低い位置となり、基板の表面に対する保持具全体の高さ寸法を低減することができ、基板に構成した構造体の薄型化が可能になる。特に、スナップ片の上端部に脚片や解除片を連結するスナップ部では、当該上端部を保持部の真横に配置することで、保持部の下側にこれら脚片と解除片を配設するためのスペースが不要になり、保持具の高さ寸法を低減することができる。
【図面の簡単な説明】
【０００８】
【図１】本発明の実施形態１を背面方から見た一部を省略した斜視図。
【図２】実施形態１の正面図、側面図、背面図。
【図３】基板への取付状態を示す正面図、側面図。
【図４】保持具の高さ寸法を説明するための正面図。
【図５】実施形態２の要部の斜視図。
【図６】実施形態２の基板への取付状態を示す正面図、側面図。
【発明を実施するための形態】
【０００９】
（実施形態１）
次に、本発明の実施の形態について図面を参照して説明する。図１は本発明をスナッピングタイと称するケーブルを結束して基板に保持させる保持具に適用した実施形態１を背面方向から見た一部を省略した斜視図、図２（ａ）〜（ｃ）はその正面図、側面図、背面図である。このスナッピングタイは対象物、ここではケーブルを保持するための保持部１と、この保持部１をシャーシ等の基板Ｂに固定させるためのスナップ部２とを備えている。前記保持部１は、ケーブルを結束するための細長い帯状のバンド３と、このバンド３の基端に一体に設けられたヘッド４を有しており、これらバンド３とヘッド４は弾性のある樹脂材料によって一体形成されている。なお、以降の説明における上下方向は図１を基準にし、幅方向は図２（ａ），（ｃ）の左右方向を基準にしている。
【００１０】
前記バンド３は一方の表面の長さ方向の一部に長さ方向の断面が鋸歯状をした歯部３１が形成されている。前記ヘッド４には前記バンド３が先端側から挿通されるバンド挿通溝４１が貫通形成されており、このバンド挿通溝４１に臨む部位に舌片状をしたロック片４２が形成されている。このロック片４２には前記バンド３の歯部３１に歯合される係止歯４３が一体に設けられており、前記バンド挿通溝４１にバンド３が挿通されたときに当該係止歯４３が歯部３１に歯合し、バンド３を挿通した方向と反対方向に移動させることを係止してバンド３をロックさせるようになっている。以上のハンド３及びヘッド４からなる保持部１の構成については既に広く知られている構成であるので、ここでは詳細な説明は省略する。
【００１１】
前記スナップ部２は、後述するように基板Ｂに開口されたほぼ矩形の取付穴Ｈに嵌合して前記保持部１を基板Ｂに支持させるものであり、前記ヘッド４と一体に形成されている。このスナップ部２は、前記ヘッド４の下面から下方に延長された支柱体２１と、この支柱体２１の両側に対向するように対をなして配設されたスナップ片２２と、これらスナップ片２２にそれぞれ連結された対をなす脚片２３と、前記スナップ片２２及び脚片２３に一端が連結され、他端が前記ヘッド４の上側寄りの一部に連結されて外側に膨らむように屈曲された形状をした対をなす解除片２４を備えている。なお、これらスナップ片２２、脚片２３、解除片２４は前記樹脂材料の弾性によって弾性変形が可能である。
【００１２】
前記支柱体２１は前記ヘッド４の幅寸法にほぼ等しい幅寸法で、しかも装着が予定されている基板Ｂの板厚寸法よりも長く延長されている。また、この実施形態では支柱体２１の幅方向と直交する方向の一方の側面には上下方向に沿って突出されたガイドリブ２１１が一体に形成されている。前記一対のスナップ片２２は前記支柱体２１の下端の幅方向の両側縁から当該支柱体２１の両側に沿って前記ヘッド４の底面よりも高い位置まで延長されており、当該スナップ片２２の上端部は前記ヘッド４の両側の真横位置まで延長されている。また、このスナップ片２２はそれぞれの外側面にフック２２１を一体に有しており、後述するように基板Ｂに開口した取付穴Ｈに内挿されたときに弾性変形して当該フック２２１が取付穴Ｈの内縁に嵌合することが可能とされている。
【００１３】
前記脚片２３は基端が前記スナップ片２２の上端部に連結され、この基端からそれぞれ斜め下方の外側に向けて突出された舌片形状に形成されている。前記スナップ片２２の上端部は前記ヘッド４の底面よりも高い位置まで延長されていて当該ヘッド４の真横に位置されているので、これに連結されている脚片２３の基端も前記ヘッド４の両側の真横に配置されていることになる。これら脚片２３の先端はスナッピングタイを基板Ｂに装着したときに当該基板Ｂの表面に弾接されるようになっている。
【００１４】
前記解除片２４は、同様に前記ヘッド４の両側の真横位置において前記スナップ片２２の上端部に連結されるとともに、この連結位置から外側上方に向けて延長され、前記ヘッド４の上端とほぼ等しい高さまで延長された後は内側に向けて屈曲され、さらにヘッド４に近接した先端部位２４１においては幾分下方に屈曲された状態でヘッド４の両側面にそれぞれ連結されている。この実施形態１では先端部位２４１は他の部位よりも片幅寸法が小さくされ、かつ肉厚寸法が小さくされて弾性変形され易くなっており、この先端部位２４１での弾性変形によって解除片２４を操作したときに当該解除片２４がヘッド４の両側の真横位置で幅方向に変形されることが可能とされている。
【００１５】
前記基板Ｂに開口された取付穴Ｈは前記スナップ部２の平面形状に対応して幅方向の辺の長さがこれと水平方向に直交する方向の辺の長さよりも若干長い矩形の貫通穴として形成されている。また、幅方向の一方の辺には前記ガイドリブ２１１に対応した凹所ｒが形成されている。
【００１６】
以上の構成のスナッピングタイによれば、ケーブルを基板に保持する際には、図３（ａ），（ｂ）に正面図と側面図を示すように、例えば先に保持する対象物であるケーブルＣにバンド３を巻き付け、バンド３の先端をヘッド４のバンド挿通溝４１に挿通させ、挿通した先端部を引っ張って緊縛する。これにより、バンド３の歯部３１がロック片４２の係止歯４３に噛合され、バンド３はヘッド４に対して挿入方向と反対方向への移動が係止され、バンド３によってケーブルＣを結束する。なお、ヘッド４から突出されているバンド３の余った先端側の部分は適宜切断する。
【００１７】
その上で、スナップ部２を基板Ｂの表面側から取付穴Ｈに挿入すると、一対のスナップ片２２は内側に弾性変形されながら取付穴Ｈに内挿され、フック２２１が取付穴Ｈの内縁を乗り越えると外側に弾性復帰して当該内縁に嵌合される。このとき、脚片２３は上方に幾分弾性変形されるのでその弾性復帰力によって基板Ｂの表面に弾接される。これにより、スナップ片２２が取付穴Ｈの内縁に外径方向に当接され、かつ脚片２３とスナップ片２２とで基板Ｂを板厚方向に挟持することになり、スナップ部２が基板Ｂに固定的に取り付けられる。このとき、ガイドリブ２１１が取付穴Ｈの凹所ｒに嵌合されるので、取付穴Ｈに対するスナップ部２の取付方向が特定される。また、スナップ部２に幅方向の外力が加えられてもガイドリブ２１１と凹所ｒとの嵌合によってスナップ部２が幅方向に移動されることがなく、スナップ片２２が意に反して変形されて取付穴Ｈとの嵌合が外れるようなこともない。
【００１８】
このようにして基板Ｂに取り付けたスナッピングタイでは、図４（ａ）に示すように、スナップ片２２はヘッド４の側方位置において取付穴Ｈに嵌合され、さらにスナップ片２２の上端部が保持部１、すなわちヘッド４の両側の真横に位置されており、基板Ｂに対して当該ヘッド４と高さ方向に重なった状態で取付穴Ｈに嵌合されているので、ヘッド４の底面は基板Ｂの表面とほぼ同じ高さ位置、あるいは基板Ｂの表面に近接した高さ位置となる。また、これにより脚片２３と解除片２４もヘッド４の両側位置に配設されることになる。したがって、基板Ｂに対するヘッド４の上面の高さＬ１はほぼヘッド４の高さ寸法に等しい高さとなり、さらにヘッド４のバンド挿通溝４１もほぼ基板Ｂの表面と同じ高さ位置となり、当該バンド挿通溝４１を挿通されているバンド３はケーブルＣを結束しているループの下側が基板Ｂの表面に沿った状態となる。これにより、バンド３のループの高さ寸法Ｌ２が抑制され、基板Ｂの表面上におけるスナッピングタイの全体高さ寸法が抑制されるので、この保持具を用いて基板Ｂに構成した構造体の薄型化に有利になる。
【００１９】
因みに、特許文献１，２の技術の保持具では、図４（ｂ）に例示するように、ヘッド１０４の下側にスナップ部１０２を構成するスナップ片１２２が配設されており、さらにこのスナップ片１２２の上端部に連結される脚片１２３及び解除片１２４もヘッド１０４の下側から側方にわたって配設されているので、ヘッド１０４の下側に脚片１２３及び解除片１２４を配設するための高さ方向のスペース高さ寸法Ｌ１０を確保する必要がある。そしてスナップ片１２２はヘッド１０４の下側において基板Ｂの取付穴Ｈに嵌合されるので、ヘッド１０４の底面は前記したスペース高さ寸法Ｌ１０だけ基板Ｂの表面から高い位置にあり、結果としてヘッド１０４の上面の高さ寸法Ｌ１１が高くなり、保持具の全体の高さ寸法Ｌ１２は実施形態１の高さ寸法Ｌ２よりも当該スペースの高さ寸法Ｌ１０だけ高いものになっている。
【００２０】
なお、スナッピングタイを基板Ｂから取り外すときには、特許文献１，２と同様に対をなする解除片２４を両側から指で摘んで内側に変形させると、これに連結されているスナップ片２２も内側に変形されてフック２２１が取付穴Ｈの内縁との嵌合が外れるので、その状態でスナップ部２を取付穴Ｈから引き出すことができる。これにより、スナッピングタイ及び基板のリユースが可能になる。このようにスナップ部２に脚片２３や解除片２４を設けてリユース構造とした場合でも、脚片２３と解除片２４を保持部１、すなわちヘッド４の真横に配置できるので、前記した高さ寸法Ｌ２を低減することが可能である。
【００２１】
（実施形態２）
図５は本発明を適用したスナッピングタイの変形例としての実施形態２の要部の斜視図である。この実施形態２はスナップ部を簡略化したものであり、実施形態１と等価な部分には同一符号を付している。保持部１をバンド３とヘッド４とで構成している点は実施形態１と同じであるが、ヘッド４には上下方向にバンド挿通溝４１を形成し、バンド３はヘッド４の側面方向に延長されている。また、ヘッド４の上面に沿った部分には外側に突出した横リブ４４が一体に形成されている。一方、スナップ部２はヘッド４の下面に支柱体を設けてはおらず、ヘッド４の両側面の下端にスナップ片２２の基端部を連結している。スナップ片２２はヘッド４の両側の真横位置において先端が上方に向けて延長されるとともに、その途中位置の外面にフック２２１を有している。また、その先端となる上端部は解除片としても構成されており、両外側面には解除操作時に指を引っかけるための突起２５が一体に形成されている。なお、ここでは脚片は省略しているが、スナップ片２２の上端部を両外側の斜め下方に向けて屈曲させて脚片として構成するようにしてもよい。一方、この実施形態２では、基板Ｂに開口する取付穴Ｈは前記スナップ部２の幅方向及びこれと水平方向に直交する方向にそれぞれ対応した辺長を有する矩形の穴で構成されている。
【００２２】
この実施形態２においても、図６（ａ），（ｂ）に正面図と側面図を示すように、バンド３でケーブルＣを結束した上で、ヘッド４及びスナップ部２を基板Ｂの取付穴Ｈに内挿する。このとき、ヘッド４のバンド挿通溝４１を挿通されているバンド３の先端部は取付穴Ｈを通して基板の裏面側に向けられることになる。一対のスナップ片２２はそれぞれ取付穴Ｈに内挿され、ヘッド４の両側方位置においてそれぞれのフック２２１が取付穴Ｈの内縁に嵌合される。これにより、スナップ片２２の両外側方向への弾接力によって取付穴Ｈとの嵌合状態が保持され、スナップ部２が基板Ｂに固定的に取り付けられる。このとき、ヘッド４に設けられた横リブ４４とバンド３の基端部が取付穴Ｈの内縁において基板Ｂの表面に当接されることによってヘッド４が取付穴Ｈから脱落されることが防止される。したがって、ヘッド４の底面側の一部は取付穴Ｈ内に内挿された状態となり、ヘッド４の底面は基板Ｂの表面よりも低くなる。これにより、バンド３のループの下側の部分が基板Ｂの表面にほぼ接した状態での取り付けとなり、スナッピングタイの全体高さ寸法をさらに低減することができる。また、このようにヘッド４の底面を基板Ｂの表面よりも低くしても、バンド３は取付穴Ｈを挿通した状態でヘッド部４を挿通されるため、ケーブルＣの結束の障害になることはない。
【００２３】
この実施形態２ではスナップ片２２の上端部に設けた突起２５に指を引っかけて内側に変形させれば、これに連結されているスナップ片２２を内側に変形させてフック２２１における取付穴Ｈとの嵌合を外し、スナッピングタイを基板Ｂから取り外すことができる。
【００２４】
以上の実施形態１，２では先にバンド３でケーブルＣを結束した上でスナップ部２を取付穴Ｈに嵌合することによって基板Ｂへの取り付けを行っているが、先にスナップ部２を取付穴Ｈに嵌合した上で、バンド３によるケーブルＣの結束を行うようにしてもよいことは言うまでもない。
【００２５】
また、実施形態１，２は本発明の保持具としてスナッピングタイに適用した例であるが、保持部の構成はこれに限定されるものではない。図示は省略するが、ケーブルをクランプするケーブルクランプとして保持部を構成することもできる。あるいは、基板上に第２の基板を支持するための基板保持具として保持部を構成することも可能である。いずれの場合でもスナップ部のスナップ片が保持部の側方位置において取付穴に嵌合するように構成すること、好ましくはスナップ片の上端部ないし全体を保持部の真横に配設することにより、基板の表面からの保持具の高さ寸法を低減することができる。この効果は、特にスナップ片に脚片や解除片を連結させているリユース構造の保持具において優れた高さ寸法の低減効果が得られる。
【００２６】
本発明におけるスナップ部は、実施形態１，２に示したように保持部の両側に弾性変形可能なスナップ片を備えた構成に限られるものではなく、図示は省略するが保持部の片側にのみスナップ片を備え、反対側は取付穴の内縁に嵌合する剛性フック片として構成されているスナップ構造においても適用可能である。
【産業上の利用可能性】
【００２７】
本発明はシャーシやパネル等の基板に対して対象物を保持し、スナップ部により基板に開口した取付穴に嵌合することによって当該対象物を基板に保持させるための保持具に適用することが可能である。
【符号の説明】
【００２８】
１  保持部
２  スナップ部
３  バンド
４  ヘッド
２１  支柱体
２２  スナップ片
２３  脚片
２４  解除片
２５  突起
３１  歯部
４１  バンド挿通溝
４２  ロック片
４３  係止歯
Ｂ  基板
Ｈ  取付穴
【図１】
2014007219.tif 000003
【図２】
2014007219.tif 000004
【図３】
2014007219.tif 000005
【図４】
2014007219.tif 000006
【図５】
2014007219.tif 000007
【図６】
2014007219.tif 000008